(57)【要約】  デジタルインタフェースのリンク設定内容をユーザが希望する状態に適時変更可能とする。  送信装置は、外部機器（受信装置）との間でデジタルインタフェースのリンク設定を行い、そのリンク設定の内容により、外部機器に、伝送路を介してコンテンツデータを送信する。受信装置は、外部機器（送信装置）との間でデジタルインタフェースのリンク設定を行い、このリンク設定の内容により、外部機器から、伝送路を介してコンテンツデータを受信する。送信装置、受信装置は、リンクモードの設定情報に基づいて、デジタルインタフェースのリンク設定を行う。
2015129496.tif 000002
【特許請求の範囲】
【請求項１】
外部機器との間でデジタルインタフェースのリンク設定を行い、該リンク設定の内容により、上記外部機器に、伝送路を介してコンテンツデータを送信する送信部を備え、
上記送信部は、リンクモードの設定情報に基づいて、上記デジタルインタフェースのリンク設定を行う
送信装置。
【請求項２】
複数のリンクモードから１つのリンクモードを選択して設定するリンクモード設定部をさらに備え、
上記送信部は、上記リンクモード設定部で設定されたリンクモードが、上記外部機器で設定されたリンクモードと一致するとき、該一致したリンクモードに応じた内容で上記デジタルインタフェースのリンク設定を行う
請求項１に記載の送信装置。
【請求項３】
上記送信部は、上記リンクモード設定部で設定されたリンクモードが上記外部機器で設定されたリンクモードと一致することを、上記外部機器から受ける
請求項２に記載の送信装置。
【請求項４】
上記リンクモード設定部でリンクモードの設定を行うためのユーザインタフェース画面の表示を制御する表示制御部をさらに備える
請求項２に記載の送信装置。
【請求項５】
上記リンクモードの選択肢には、少なくとも、機器のパフォーマンスを優先するパフォーマンス優先モード、コンテンツの種類によって設定を変更するコンテンツ優先モード、あるいは機器の消費電力を低く抑える省エネモードのいずれかが含まれる
請求項１に記載の送信装置。
【請求項６】
上記デジタルインタフェースは、ＭＨＬ（Mobile High-definition Link）規格のインタフェースである
請求項１に記載の送信装置。
【請求項７】
外部機器との間でデジタルインタフェースのリンク設定を行い、該リンク設定の内容により、上記外部機器に、伝送路を介してコンテンツデータを送信する送信ステップを有し、
上記送信ステップでは、リンクモードの設定情報に基づいて、上記デジタルインタフェースのリンク設定を行う
送信方法。
【請求項８】
外部機器との間でデジタルインタフェースのリンク設定を行い、該リンク設定の内容により、上記外部機器から、伝送路を介してコンテンツデータを受信する受信部を備え、
上記受信部は、リンクモードの設定情報に基づいて、上記デジタルインタフェースのリンク設定を行う
受信装置。
【請求項９】
複数のリンクモードから１つのリンクモードを選択して設定するリンクモード設定部をさらに備え、
上記受信部は、上記リンクモード設定部で設定されたリンクモードが、上記外部機器で設定されたリンクモードと一致するとき、該一致したリンクモードに応じた内容で上記デジタルインタフェースのリンク設定を行う
請求項８に記載の受信装置。
【請求項１０】
上記受信部は、上記一致したリンクモードに応じたリンク内容を上記外部機器から受け取る
請求項９に記載の受信装置。
【請求項１１】
上記リンクモード設定部で設定されたリンクモードが上記外部機器で設定されたリンクモードと一致しないとき、警告表示を行うように制御する表示制御部をさらに備える
請求項９に記載の受信装置。
【請求項１２】
上記リンクモード設定部でリンクモードの設定を行うためのユーザインタフェース画面の表示を制御する表示制御部をさらに備える
請求項９に記載の受信装置。
【請求項１３】
上記リンクモードの選択肢には、少なくとも、機器のパフォーマンスを優先するパフォーマンス優先モード、コンテンツの種類によって設定を変更するコンテンツ優先モード、あるいは機器の消費電力を低く抑える省エネモードのいずれかが含まれる
請求項８に記載の受信装置。
【請求項１４】
上記デジタルインタフェースは、ＭＨＬ（Mobile High-definition Link）規格のインタフェースである
請求項８に記載の受信装置。
【請求項１５】
外部機器との間でデジタルインタフェースのリンク設定を行い、該リンク設定の内容により、上記外部機器から、伝送路を介してコンテンツデータを受信する受信ステップを有し、
上記受信ステップでは、リンクモードの設定情報に基づいて、上記デジタルインタフェースのリンク設定を行う
受信方法。
【発明の詳細な説明】
【技術分野】
【０００１】
本技術は、送信装置、送信方法、受信装置および受信方法に関し、特に、コンテンツデータを、デジタルインタフェースを通じて伝送する送信装置等に関する。
【背景技術】
【０００２】
近年、例えば、送信機器（ソース機器）から受信機器（シンク機器）に画像および音声のデータを高速に伝送する通信インタフェースとして、ＭＨＬ（Mobile High-definition Link）規格が提案されている。このＭＨＬ規格は、高速映像伝送用のインタフェース規格である。【０００３】
従来のＭＨＬ接続では、例えば、特許文献１に記載されるように、送受信機器の制約条件でリンク（Link）が設定された後は、その状態が維持されるものであった。そのため、リンク設定内容をユーザが希望する状態に適時変更することができなかった。
【先行技術文献】
【特許文献】
【０００４】
【特許文献１】特開２０１４−００２４４８号公報
【発明の概要】
【発明が解決しようとする課題】
【０００５】
本技術の目的は、デジタルインタフェースのリンク設定内容をユーザが希望する状態に適時変更可能とすることにある。
【課題を解決するための手段】
【０００６】
本技術の概念は、
外部機器との間でデジタルインタフェースのリンク設定を行い、該リンク設定の内容により、上記外部機器に、伝送路を介してコンテンツデータを送信する送信部を備え、
上記送信部は、リンクモードの設定情報に基づいて、上記デジタルインタフェースのリンク設定を行う
送信装置にある。【０００７】
本技術において、送信部では、外部機器との間でデジタルインタフェースのリンク設定が行われ、そのリンク設定の内容により、外部機器に、伝送路を介してコンテンツデータが送信される。例えば、デジタルインタフェースは、ＭＨＬ（Mobile High-definition Link）規格のインタフェースである、ようにされてもよい。【０００８】
送信部では、リンクモードの設定情報に基づいて、デジタルインタフェースのリンク設定が行われる。例えば、リンクモードの選択肢には、少なくとも、機器のパフォーマンスを優先するパフォーマンス優先モード、コンテンツの種類によって設定を変更するコンテンツ優先モード、あるいは機器の消費電力を低く抑える省エネモードのいずれかが含まれる、ようにされてもよい。【０００９】
このように本技術においては、リンクモードの設定情報に基づいて、外部機器との間でデジタルインタフェースのリンク設定を行うものである。そのため、デジタルインタフェースのリンク設定内容をユーザが希望する状態に適時変更することが可能となる。【００１０】
なお、本技術において、例えば、複数のリンクモードから１つのリンクモードを選択して設定するリンクモード設定部をさらに備え、送信部は、リンクモード設定部で設定されたリンクモードが、外部機器で設定されたリンクモードと一致するとき、この一致したリンクモードに応じた内容でデジタルインタフェースのリンク設定を行う、ようにされてもよい。この場合、自身と外部機器で設定された同一のリンクモードに応じた内容でリンク設定を行うことが可能となる。【００１１】
また、例えば、送信部は、リンクモード設定部で設定されたリンクモードが外部機器で設定されたリンクモードと一致することを、外部機器から受ける、ようにされてもよい。この場合、自身と外部機器で設定されたリンクモードが同一か否かを、自身が判断することなく、その情報を得ることが可能となる。【００１２】
また、例えば、リンクモード設定部でリンクモードの設定を行うためのユーザインタフェース画面の表示を制御する表示制御部をさらに備える、ようにされてもよい。この場合、ユーザは、ユーザインタフェース画面に基づいて、リンクモードの設定を容易かつ適切に行うことが可能となる。【００１３】
また、本技術の他の概念は、
外部機器との間でデジタルインタフェースのリンク設定を行い、該リンク設定の内容により、上記外部機器から、伝送路を介してコンテンツデータを受信する受信部を備え、
上記受信部は、リンクモードの設定情報に基づいて、上記デジタルインタフェースのリンク設定を行う
受信装置にある。【００１４】
本技術において、受信部では、外部機器との間でデジタルインタフェースのリンク設定が行われ、このリンク設定の内容により、外部機器から、伝送路を介してコンテンツデータが受信される。例えば、デジタルインタフェースは、ＭＨＬ（Mobile High-definition Link）規格のインタフェースである、ようにされてもよい。【００１５】
受信部では、リンクモードの設定情報に基づいて、外部機器との間でデジタルインタフェースのリンク設定が行われる。例えば、リンクモードの選択肢には、少なくとも、機器のパフォーマンスを優先するパフォーマンス優先モード、コンテンツの種類によって設定を変更するコンテンツ優先モード、あるいは機器の消費電力を低く抑える省エネモードのいずれかが含まれる、ようにされてもよい。【００１６】
このように本技術においては、リンクモードの設定情報に基づいて、外部機器との間でデジタルインタフェースのリンク設定を行うものである。そのため、デジタルインタフェースのリンク設定内容をユーザが希望する状態に適時変更することが可能となる。【００１７】
なお、本技術において、例えば、複数のリンクモードから１つのリンクモードを選択して設定するリンクモード設定部をさらに備え、受信部は、リンクモード設定部で設定されたリンクモードが、外部機器で設定されたリンクモードと一致するとき、この一致したリンクモードに応じた内容でデジタルインタフェースのリンク設定を行う、ようにされてもよい。この場合、自身と外部機器で設定された同一のリンクモードに応じた内容でリンク設定を行うことが可能となる。【００１８】
また、例えば、受信部は、一致したリンクモードに応じたリンク内容を外部機器から受け取る、ようにされてもよい。この場合、自身のリンク設定を外部機器のリンク設定に容易に合わせることが可能となる。【００１９】
また、例えば、リンクモード設定部で設定されたリンクモードが外部機器で設定されたリンクモードと一致しないとき、警告表示を行うように制御する表示制御部をさらに備える、ようにされてもよい。この場合、ユーザは、警告表示に基づいて、リンクモードの設定を外部機器におけるリンクモードの設定と合わせることが容易に可能となる。【００２０】
また、例えば、リンクモード設定部でリンクモードの設定を行うためのユーザインタフェース画面の表示を制御する表示制御部をさらに備える、ようにされてもよい。この場合、ユーザは、ユーザインタフェース画面に基づいて、リンクモードの設定を容易かつ適切に行うことが可能となる。
【発明の効果】
【００２１】
本技術によれば、デジタルインタフェースのリンク設定内容をユーザが希望する状態に適時変更可能となる。なお、本明細書に記載された効果はあくまで例示であって限定されるものではなく、また付加的な効果があってもよい。
【図面の簡単な説明】
【００２２】
【図１】実施の形態としての画像表示システムの構成例を示すブロック図である。
【図２】画像表示システムを構成するモバイルフォーンの構成例を示すブロック図である。
【図３】画像表示システムを構成するテレビ受信機の構成例を示すブロック図である。
【図４】モバイルフォーンのＭＨＬ送信部とテレビ受信機のＭＨＬ受信部の構成例を示す図である。
【図５】接続時におけるモバイルフォーンのＭＨＬ送信部、テレビ受信機のＭＨＬ受信部の処理手順の一例を概略的に示すフローチャートである。
【図６】リンクが成立後からのモバイルフォーンのＭＨＬ送信部、テレビ受信機のＭＨＬ受信部の処理手順の一例を概略的に示すフローチャートである。
【図７】インテリジェントリンクモード設定のためのユーザインタフェース画面の一例を示す図である。
【図８】モバイルフォーン、テレビ受信機におけるインテリジェントリンクモードの設定が不一致である場合におけるアラート（警告）のユーザインタフェース画面の一例を示す図である。
【図９】ＭＨＬソース機器の他の例であるデジタルカメラの構成例を示すブロック図である。
【発明を実施するための形態】
【００２３】
以下、発明を実施するための形態（以下、「実施の形態」とする）について説明する。なお、説明は以下の順序で行う。
１．実施の形態
２．変形例
【００２４】
＜１．実施の形態＞
［画像表示システム］
図１は、実施の形態としての画像表示システム１０の構成例を示している。この画像表示システム１０は、ＭＨＬ（Mobile High-definition Link）ソース機器としてのモバイルフォーン（Mobile Phone）１００と、ＭＨＬシンク機器としてのテレビ受信機２００とにより構成されている。これらの機器は、伝送路としてのＭＨＬケーブル３００によって接続されている。
【００２５】
ＭＨＬの概要を説明する。ＭＨＬは、主に、モバイル機器用のＡＶ(Audio Visual)デジタルインタフェース規格である。ＭＨＬは、ＭＨＬソース機器とＭＨＬシンク機器をＭＨＬケーブルで接続し、ＭＨＬソース機器が持っている動画、静止画、音声等のコンテンツをＭＨＬシンク機器で再生する（ＡＶストリーム・単方向）。また、機器間では、ＥＤＩＤ読出し、ＨＤＣＰ認証、レジスタリード／ライト、リモコン制御等のコントロールを、ＤＤＣコマンド、およびＭＳＣ（MHL Sideband channel）コマンドを送受信することで行う（リンクコントロール・双方向）。
【００２６】
モバイルフォーン１００およびテレビ受信機２００は、互いの機器間でリンク設定を行い、そのリンク設定の内容により、ＭＨＬケーブル３００を介して、コンテンツデータを送受信する。モバイルフォーン１００およびテレビ受信機２００は、それぞれ、インテリジェントリンクモード（Intelligent Link Mode）の設定情報に基づいて、ＭＨＬのリンク設定を行う。このリンク設定の詳細については、後述する。
【００２７】
この実施の形態において、インテリジェントリンクモードの選択肢には、少なくとも、パフォーマンス優先モード、コンテンツ優先モード、省エネモードのいずれかが含まれる。ユーザは、モバイルフォーン１００およびテレビ受信機２００の双方において、複数のリンクモードから１つのリンクモードを選択して設定する。モバイルフォーン１００およびテレビ受信機２００は、一致したリンクモードに応じた内容で、リンク設定を行う。
【００２８】
パフォーマンス優先モードは、機器のパフォーマンスを優先するリンクモードである。機器のパフォーマンスには、例えば、以下のように、対応解像度、対応フレームレート、Color Depth 、Color Space 、TMDS  Clock  Speedなどが含まれる。パフォーマンス優先モードでは、それぞれのパフォーマンスが最大となるようにリンク設定が行われる（初期リンク設定相当）。
【００２９】
＊対応解像度（例、FHD,４K）
＊対応フレームレート（例、30P、60P）
＊Color Depth (例、8bit,10bit)
＊Color Space（例、Deep color、XVYCC）
＊TMDS  Clock  Speed（例、600M、300M）
【００３０】
コンテンツ優先モードは、コンテンツの種類によって設定を変更するリンクモードである。コンテンツの種類には、例えば、以下のように、スポーツ（Sport）、シネマ（Cinema）、ゲーム（Game）、フォト（Photo）などがある。
【００３１】
Sport:  Priority  フレームレート
Cinema:  Priority  解像度、Color  Space,  Color  Depth
Game:  Priority  遅延時間
Photo:  Priority  解像度、Color  Space,  Color Depth
【００３２】
コンテンツ優先モードでは、コンテンツの種類がスポーツの場合、フレームレートを優先するようにリンク設定が行われる。また、コンテンツ優先モードでは、コンテンツの種類がシネマの場合、解像度、Color Space、Color Depth を優先するようにリンク設定が行われる。また、コンテンツ優先モードでは、コンテンツの種類がゲームの場合、遅延時間を優先するようにリンク設定が行われる。また、コンテンツ優先モードでは、コンテンツの種類がフォトの場合、解像度、Color Space、Color Depth を優先するようにリンク設定が行われる。
【００３３】
省エネモードは、機器の消費電力が最小となるリンクモードである。この場合、変更するパラメータは、例えば、以下のように、対応解像度、対応フレームレート、TMDS  Clock  Speedなどである。
【００３４】
＊対応解像度（例、FHD,４K）
＊対応フレームレート（例、30P、60P）
＊TMDS  Clock  Speed（例、600M、300M）
【００３５】
［モバイルフォーンおよびテレビ受信機の構成］
図２は、モバイルフォーン１００の構成例を示している。モバイルフォーン１００は、制御部としてのＣＰＵ１０１、ユーザ操作部１０２、表示制御部１０３、表示部１０４、３Ｇ／４Ｇモデム部１０５、カメラ部１０６、記録再生部１０７、送信処理部１０８、ＭＨＬ送信部１０９、ＭＨＬ端子１１０および電源部１１１を有している。
【００３６】
ＣＰＵ１０１は、モバイルフォーン１００の各部の動作を制御する。ユーザ操作部１０２および表示部１０４は、ユーザインタフェースを構成する。ユーザ操作部１０２は、ＣＰＵ１０１に接続されている。ユーザ操作部１０２は、モバイルフォーン１００の図示しない筐体に配置されたキー、釦、ダイアル、スイッチ、あるいは表示部１０４の表示面に配置されたタッチパネル、あるいはマウスやキーボード、あるいはカメラで検出するジェスチャ入力部、あるいはマイクロホンで検出する音声入力部、さらにはリモートコントロールの送受信機等で構成される。
【００３７】
表示制御部１０３は、表示部１０４における表示を制御する。表示部１０４は、例えば、ＬＣＤ(Liquid Crystal Display)、有機ＥＬ（Organic Electro-Luminescence）パネル等で構成されている。なお、この実施の形態では、ＣＰＵ１０１の他に表示制御部１０３を有する例を示した。しかし、表示部１０４における表示をＣＰＵ１０１が直接制御するようにしてもよい。また、ＣＰＵ１０１と表示制御部１０３は、１つのチップになっていても、複数コアであってもよい。電源部１１１は、モバイルフォーン１００の各部に電源を供給する。この電源部１１１は、ＡＣ電源であっても、電池（蓄電池、乾電池）であってもよい。
【００３８】
３Ｇ／４Ｇモデム１０５は、携帯電話通信を行う。カメラ部１０６は、動画、静止画の撮像を行う。記録再生部１０７は、例えば、内蔵メモリ（不揮発性メモリ）、あるいはメモリカード等の記録媒体にドライブして記録再生（書き込み読み出し）を行う。この記録再生部１０７は、モデム１０５を通じて行われる通話の記録再生を行う。また、この記録再生部１０７は、モデム１０５を通じて取得される動画、静止画の画像データ、音声データの記録再生、カメラ部（マイクロホンを含む）１０６で撮像されて得られる動画、静止画の画像データ、音声データの記録再生等を行う。なお、記録再生部１０７では、カメラ部１０６で撮像されて得られた動画、静止画の画像データに対して、データ圧縮のためのコーデック処理も行う。
【００３９】
ユーザは、ユーザ操作部１０２から指示することで、記録再生部１０７における記録媒体内の記録内容を、コンテンツリストとして、表示部１０４に表示させることができる。また、このコンテンツリスト中の任意の１つをユーザがユーザ操作部１０２から指定すると、記録再生部１０７において記録媒体からその指定されたコンテンツのデータが再生され、送信処理部１０８に転送される。
【００４０】
なお、３Ｇ／４Ｇモデム１０５で取得された画像データ、音声データ、あるいはカメラ部１０６で得られた画像データ、音声データを、リアルタイムで送信する場合も考えられる。その場合、それらのコンテンツデータは、図示していないが、直接、送信処理部１０８に転送される。また、メモリカードを他のデバイスに挿入してコンテンツデータを書き込んだ後、記録再生部１０７に装着して、送信処理部１０８に送信する場合も考えられる。
【００４１】
送信処理部１０８は、記録再生部１０７から供給され、テレビ受信機２００に送信するための画像データの解像度、フレームレート、Color Depth 、Color Space などを、ＭＨＬ送信部１０９におけるリンク設定の内容に合うように処理する。ＭＨＬ送信部１０９は、ＭＨＬ端子１１０に接続されている。このＭＨＬ送信部１０９は、ＭＨＬ規格に準拠した通信により、送信処理部１０８で処理された画像、音声等のデータ（コンテンツデータ）を、ＭＨＬ端子１１０から、ＭＨＬケーブル３００を介して、テレビ受信機２００に、一方向に送信する。このＭＨＬ送信部１０９の詳細については後述する。
【００４２】
図３は、テレビ受信機２００の構成例を示している。テレビ受信機２００は、制御部としてのＣＰＵ２０１、ユーザ操作部２０２、表示制御部２０３、ＭＨＬ端子２０４、ＭＨＬ受信部２０５、受信処理部２０６、チューナ２０７、アンテナ端子２０８、切り替え部２０９、表示部２１０および電源部２１１を有している。
【００４３】
制御部２０１は、テレビ受信機２００の各部の動作を制御する。ユーザ操作部２０２は、ユーザインタフェースを構成し、制御部２０１に接続されている。ユーザ操作部２０２は、テレビ受信機２００の図示しない筐体に配置されたキー、釦、ダイアル、スイッチ、あるいは表示部２１０の表示面に配置されたタッチパネル、あるいはマウスやキーボード、あるいはカメラで検出するジェスチャ入力部、あるいはマイクロホンで検出する音声入力部、さらにはリモートコントロールの送受信機等で構成される。
【００４４】
表示制御部２０３は、表示部２１０における表示を制御する。表示部２１０は、例えば、ＬＣＤ(Liquid Crystal Display)、有機ＥＬ（Organic Electro-Luminescence）パネル等で構成されている。なお、この実施の形態では、ＣＰＵ２０１の他に表示制御部２０３を有する例を示した。しかし、表示部２１０における表示をＣＰＵ２０１が直接制御するようにしてもよい。また、ＣＰＵ２０１と表示制御部２０３は、１つのチップになっていても、複数コアであってもよい。電源部２１１は、テレビ受信機２００の各部に電源を供給する。この電源部２１１は、ＡＣ電源であっても、電池（蓄電池、乾電池）であってもよい。
【００４５】
ＭＨＬ受信部２０５は、ＭＨＬ端子２０４に接続されている。このＭＨＬ受信部２０５は、ＭＨＬ規格に準拠した通信により、ＭＨＬケーブル３００を介して接続されているモバイルフォーン１００のＭＨＬ送信部１０９から一方向に送信されてくる画像、音声等のデータ（コンテンツデータ）を受信する。ＭＨＬ受信部２０５は、受信した画像データを受信処理部２０６に送る。なお、ＭＨＬ受信部２０５が受信した音声のデータは、図示していない音声データ用の受信処理部に供給される。このＭＨＬ受信部２０５の詳細については後述する。
【００４６】
受信処理部２０６は、ＭＨＬ受信部２０５で得られた画像データに対して、スケーリング処理（解像度変換処理）、ガンマ補正などの必要な処理を施す。受信処理部２０６は、処理後の画像データを、切り替え部２０９に供給する。
【００４７】
チューナ２０７は、ＢＳ放送、地上波デジタル放送等を受信する。このチューナ２０７には、アンテナ端子２０８に接続された図示しないアンテナで捕らえられた放送信号が供給される。このチューナ２０７は、放送信号に基づいて、所定の番組の画像データ（映像信号）および音声データを取得する。切り替え部２０９は、受信処理部２０６で処理された画像データまたはチューナ２０７で取得された画像データを選択的に取り出し、表示部２１０に供給する。
【００４８】
図２に示すモバイルフォーン１００および図３に示すテレビ受信機２００の動作を簡単に説明する。モバイルフォーン１００の記録再生部２０７で再生されたコンテンツデータ、あるいは３Ｇ／４Ｇモデム１０５で取得されたコンテンツデータ、あるいはカメラ部１０６で得られたコンテンツデータは、送信処理部１０８に供給される。
【００４９】
この送信処理部１０８では、テレビ受信機２００に送信するための画像データの解像度、フレームレート、Color Depth 、Color Space などが、ＭＨＬ送信部１０９におけるリンク設定の内容に合うように処理される。ＭＨＬ送信部１０９では、送信処理部１０８で処理されたコンテンツデータが、ＭＨＬ規格に準拠した通信により、ＭＨＬ端子１１０から、ＭＨＬケーブル３００を介して、テレビ受信機２００に、一方向に送信される。
【００５０】
テレビ受信機２００のＭＨＬ受信部２０５では、ＭＨＬ規格に準拠した通信により、ＭＨＬケーブル３００を介して接続されているモバイルフォーン１００のＭＨＬ送信部１０９から一方向に送信されてくるコンテンツデータが受信される。ＭＨＬ受信部２０５で受信された画像データは、受信処理部２０６に送られ、スケーリング処理（解像度変換処理）、ガンマ補正などの必要な処理が施される。処理後の画像データは、切り替え部２０９に供給される。
【００５１】
チューナ２０７では、ＢＳ放送、地上波デジタル放送等が受信される。このチューナ２０７で取得された画像データは、切り替え部２０９に供給される。切り替え部２０９では、受信処理部２０６で処理された画像データまたはチューナ２０７で取得された画像データが選択的に取り出され、表示部２１０に供給されて、画像表示が行われる。
【００５２】
［ＭＨＬ送信部、ＭＨＬ受信部の構成］
図４は、図２のモバイルフォーン１００のＭＨＬ送信部１０９と、図３のテレビ受信機２００のＭＨＬ受信部２０５の構成例を示している。ＭＨＬ送信部１０９はトランスミッタ（Transmitter）を備え、ＭＨＬ受信部２０５はレシーバ（Receiver）を備えている。ＭＨＬ送信部１０９およびＭＨＬ受信部２０５は、５本のライン（MHL+、MHL-、CBUS、VBUS、GND）でピンおよびＭＨＬケーブルを介して接続される。ピンアサインはコネクタによって異なるため、ここでは記述しない。“ＭＨＬ＋”と“ＭＨＬ−”は１対のツイストペアでＡＶストリーム、および、その同期信号（ＭＨＬクロック）を伝送する。
【００５３】
ＣＢＵＳは、ＤＤＣコマンドとＭＳＣコマンドを双方向に伝送するために使用する。ＤＤＣコマンドは、ＥＤＩＤ読出しやＨＤＣＰの認証に使用する。また、ＭＳＣコマンドは、ＥＤＩＤ読出し制御、各種レジスタのリードライト、リモコン制御等に使用する。ＶＢＵＳは、ＭＨＬシンク機器からＭＨＬソース機器、またはＭＨＬソース機器からＭＨＬシンク機器に＋５Ｖの電源を供給するために使用する。
【００５４】
［ＭＨＬ送信部、ＭＨＬ受信部におけるリンク設定］
モバイルフォーン１００とテレビ受信機２００がＭＨＬケーブル３００で接続される際にリンク設定が行われる。図５のフローチャートは、接続時におけるＭＨＬ送信部１０９、ＭＨＬ受信部２０５の処理手順の一例を概略的に示している。
【００５５】
ステップＳＴ１において、ＭＨＬ送信部１０９とＭＨＬ受信部２０５が接続されると、ステップＳＴ２の処理に移る。このステップＳＴ２において、ＭＨＬ送信部１０９、ＭＨＬ受信部２０５は、ＣＢＵＳ(ｅＣＢＵＳ)を通じて、互いのケーパビリティ（Capability）を確認する。すなわち、ＭＨＬ受信部２０５のレジスタ（Register）からケーパビリティ情報が読み出され、ＣＢＵＳ(ｅＣＢＵＳ)を通じて、ＭＨＬ送信部１０９に送られる。一方、ＭＨＬ送信部１０９のレジスタ（Register）からケーパビリティ情報が読み出され、ＣＢＵＳ(ｅＣＢＵＳ)を通じてＭＨＬ受信部２０５に送られる。
【００５６】
このケーパビリティには、例えば、以下が含まれる。
＊対応解像度（例、FHD,４K）
＊対応フレームレート（例、30P、60P）
＊Color Depth (例、8bit,10bit)
＊Color Space（例、Deep color、XVYCC）
＊TMDS  Clock  Speed（例、600M、300M）
【００５７】
次に、ステップＳＴ３において、ＭＨＬ送信部１０９およびＭＨＬ受信部２０５の制御部は、互いのケーパビリティを判断し、双方が最大パフォーマンスとなるように、設定値を決定する。次に、ステップＳＴ４において、ＭＨＬ送信部１０９が、ステップＳＴ３で決定された設定値に変更し、ＴＭＤＳライン（TMDS data line）で、コンテンツデータを送信する。この後、ステップＳＴ５において、ＭＨＬ送信部１０９とＭＨＬ受信部２０５の間におけるリンクが成立し、確立される。
【００５８】
図６のフローチャートは、図５のリンクが成立した後からのＭＨＬ送信部１０９、ＭＨＬ受信部２０５の処理手順の一例を概略的に示している。ステップＳＴ１１において、ＭＨＬ送信部１０９とＭＨＬ受信部２０５が接続されてリンクが成立すると、ステップＳＴ１２の処理に移る。
【００５９】
このステップＳＴ１２において、ＭＨＬ送信部１０９は、自身がインテリジェントリンク（Intelligent Link）に対応しているか判断する。非対応の場合、ステップＳＴ１３において、現状のリンク状態のままで終了する。一方、対応の場合、ＭＨＬ送信部１０９は、ＣＢＵＳ（ｅＣＢＵＳ）を通じて、ＭＨＬ受信部２０５に、インテリジェントリンクに対応している旨を通知する。
【００６０】
ＭＨＬ送信部１０９は、ステップＳＴ１４において、ＭＨＬ受信部２０５がインテリジェントリンクに対応しているか確認する。そして、ＭＨＬ送信部１０９は、ステップＳＴ１５において、ＭＨＬ受信部２０５がインテリジェントリンク（Intelligent Link）に対応しているか判断する。非対応の場合、ステップＳＴ１６において、現状のリンク状態のままで終了する。一方、対応の場合、ステップＳＴ１７の処理に移る。
【００６１】
このステップＳＴ１７において、ＭＨＬ送信部１０９、ＭＨＬ受信部２０５の双方で、インテリジェントリンクモード（Intelligent Link Mode）が設定されているか判断する。設定済みの場合、ステップＳＴ１８の処理に移る。一方、非設定の場合、ステップＳＴ１９において、ユーザがリンクモード設定を行った後にステップＳＴ１８の処理に移る。
【００６２】
この際、モバイルフォーン１００、テレビ受信機２００の双方では、ユーザがインテリジェントリンクモード設定を行うためのユーザインタフェース画面（ＵＩ画面）を表示することが行われる。このＵＩ画面の表示により、ユーザは、インテリジェントリンクモードの設定を容易かつ適切に行うことが可能となる。図７は、インテリジェントリンクモード設定のＵＩ画面の一例を示している。
【００６３】
最初に、「MHL Intelligent Link を設定しますか？」というメッセージが表示される。オフ（Off）選択時には、「設定を終了します」のメッセージが表示されて、設定終了となる。一方、オン（On）選択時には、「どのモードを使用しますか？」というメッセージが表示される。パフォーマンス（Performance）優先、コンテンツ優先、省エネ優先のうちいずれかが選択されると、「設定を終了します」のメッセージが表示されて、設定終了となる。
【００６４】
図６に戻って、ステップＳＴ１８において、ＭＨＬ受信部２０５が、それぞれのインテリジェントリンクモードを確認する。ＭＨＬ受信部２０５は、ＭＨＬ送信部１０９で設定されたインテリジェントリンクモードの情報を、ＭＨＬ送信部１０９からＣＢＵＳ（ｅＣＢＵＳ）を通じて受け取る。
【００６５】
一致の場合、ＭＨＬ受信部２０５は、一致している旨を、ＣＢＵＳ（ｅＣＢＵＳ）を通じてＭＨＬ送信部１０９に通知し、ステップＳＴ２０の処理に移る。つまり、ＭＨＬ送信部１０９は、自身とＭＨＬ受信部２０５で設定されたインテリジェントリンクモードとが一致することを、ＭＨＬ受信部２０５から受けとる。この場合、ＭＨＬ送信部１０９は、自身とＭＨＬ受信部２０５で設定されたインテリジェントリンクモードが同一か否かを、自身が判断することなく、その情報を得ることが可能となる。
【００６６】
不一致の場合、ステップＳＴ２１において、テレビ受信機２００では、アラート（警告）のユーザインタフェース画面（ＵＩ画面）を表示することが行われる。このアラートのＵＩ画面の表示により、ユーザは、インテリジェントリンクモードの設定をモバイルフォーン１００におけるインテリジェントリンクモードの設定と合わせることが容易に可能となる。
【００６７】
図８は、アラートＵＩ画面の一例を示している。最初に、「接続された機器と本機の設定が異なります。本機をどの設定にしますか？（本機の設定を変更すると接続された機器の設定も自動的に変更されます）」のメッセージが表示される。このアラート表示に基づいて、ユーザは、所望のインテリジェントリンクモードを選択して設定でき、「設定を終了します」のメッセージが表示されて、設定終了となる。
【００６８】
図６に戻って、次に、ステップＳＴ２２において、ＭＨＬ受信部２０５は、変更したモード情報を、ＣＢＵＳ（ｅＣＢＵＳ）を通じて、ＭＨＬ送信部１０９に送信する。その後、ステップＳＴ２０の処理に移る。このステップＳＴ２０において、ＭＨＬ送信部１０９は、双方で一致したインテリジェントリンクモードに沿った設定値に変更して、ＴＭＤＳライン（TMDS data line）で、コンテンツデータを送信する。
【００６９】
この際、ＭＨＬ送信部１０９の制御部が伝送処理部を制御し、設定変更する。ＭＨＬ送信部１０９は、この設定変更の内容を、ＣＢＵＳ（ｅＣＢＵＳ）を通じてＭＨＬ受信部２０５の制御部に伝達する。この場合、ＭＨＬ受信部２０５は、自身のリンク設定を、ＭＨＬ送信部１０９のリンク設定に容易に合わせることが可能となる。ＭＨＬ受信部２０５は、新たなリンク設定を行うとともに、ＭＨＬ送信部１０９から送られてきたコンテンツデータを、その設定内容により伝送処理部で処理する。
【００７０】
ステップＳＴ２３で、新たなリンクが成立した後、ステップＳＴ１７の処理に戻る。これにより、新たなリンク成立後も、常時インテリジェントリンクモードの変化、さらにはコンテンツ優先モードではコンテンツ種類の変化が監視され、変化がある場合は、その変化に対応した、新たなリンク設定が行われる。
【００７１】
上述したように、図１に示す画像表示システム１０においては、インテリジェントリンクモードの設定情報に基づいて、モバイルフォーン１００とテレビ受信機２００との間でＭＨＬのリンク設定が行われる。そのため、例えば、ＭＨＬのリンク設定内容をユーザが希望する状態に適時変更することが可能となる。
【００７２】
例えば、コンテンツモード選択時には、コンテンツに最適な解像度、フレームレートを得ることができる。すなわち、コンテンツの種類がスポーツ、ゲームである場合には、高フレームレートのリンク設定状態となる。また、コンテンツの種類がフォト、シネマである場合には、高解像度のリンク設定状態となる。また、例えば、省エネモード選択時には、伝送レートの最適化により、デバイスの消費電力が削減され、その結果として、発熱の抑制やバッテリ持続時間の増加などが図られる。また、パフォーマンス優先モード選択時には、機器のパフォーマンスを最大限に活かすことができる。
【００７３】
＜２．変形例＞
なお、上述実施の形態においては、ＭＨＬソース機器がモバイルフォーン１００であり、ＭＨＬシンク機器がテレビ受信機２００である例を示した。しかし、その他の送信機器、受信機器を使用するものにも、本技術を同様に適用できることは勿論である。
【００７４】
図９は、ＭＨＬソース機器としてのデジタルカメラ４００の構成例を示している。デジタルカメラ４００は、制御部としてのＣＰＵ４０１、ユーザ操作部４０２、表示制御部４０３、表示部４０４、カメラ部４０５、記録再生部４０６、送信処理部４０７、ＭＨＬ送信部４０８、ＭＨＬ端子４０９および電源部４１０を有している。
【００７５】
ＣＰＵ４０１は、デジタルカメラ４００の各部の動作を制御する。ユーザ操作部４０２および表示部４０４は、ユーザインタフェースを構成する。ユーザ操作部４０２は、ＣＰＵ４０１に接続されている。ユーザ操作部４０２は、デジタルカメラ４００の図示しない筐体に配置されたキー、釦、ダイアル、スイッチ、あるいは表示部４０４の表示面に配置されたタッチパネル、あるいはマウスやキーボード、あるいはカメラで検出するジェスチャ入力部、あるいはマイクロホンで検出する音声入力部、さらにはリモートコントロールの送受信機等で構成される。
【００７６】
表示制御部４０３は、表示部４０４における表示を制御する。表示部４０４は、例えば、ＬＣＤ(Liquid Crystal Display)、有機ＥＬ（Organic Electro-Luminescence）パネル等で構成されている。なお、この実施の形態では、ＣＰＵ４０１の他に表示制御部４０３を有する例を示した。しかし、表示部４０４における表示をＣＰＵ４０１が直接制御するようにしてもよい。また、ＣＰＵ４０１と表示制御部４０３は、１つのチップになっていても、複数コアであってもよい。電源部４１０は、デジタルカメラ４００の各部に電源を供給する。この電源部４１０は、ＡＣ電源であっても、電池（蓄電池、乾電池）であってもよい。
【００７７】
カメラ部４０５は、動画、静止画の撮像を行う。記録再生部４０６は、例えば、内蔵メモリ（不揮発性メモリ）、あるいはメモリカード等の記録媒体にドライブして記録再生（書き込み読み出し）を行う。この記録再生部４０６は、カメラ部（マイクロホンを含む）４０５で撮像されて得られる動画、静止画の画像データ、音声データの記録再生等を行う。なお、記録再生部４０６では、カメラ部４０５で撮像されて得られた動画、静止画の画像データに対して、データ圧縮のためのコーデック処理も行う。
【００７８】
ユーザは、ユーザ操作部４０２から指示することで、記録再生部４０６における記録媒体内の記録内容を、コンテンツリストとして、表示部４０４に表示させることができる。また、このコンテンツリスト中の任意の１つをユーザがユーザ操作部４０２から指定すると、記録再生部４０６において記録媒体からその指定されたコンテンツのデータが再生され、送信処理部４０７に転送される。
【００７９】
なお、カメラ部４０５で得られた画像データ、音声データを、リアルタイムで送信する場合も考えられる。その場合、それらのコンテンツデータは、図示していないが、直接、送信処理部４０７に転送される。また、メモリカードを他のデバイスに挿入してコンテンツデータを書き込んだ後、記録再生部４０６に装着して、送信処理部４０７に送信する場合も考えられる。
【００８０】
送信処理部４０７は、記録再生部４０６から供給され、テレビ受信機２００に送信するための画像データの解像度、フレームレート、Color Depth 、Color Space などを、ＭＨＬ送信部４０８におけるリンク設定の内容に合うように処理する。ＭＨＬ送信部４０８は、ＭＨＬ端子４０９に接続されている。このＭＨＬ送信部４０８は、ＭＨＬ規格に準拠した通信により、送信処理部４０７で処理された画像、音声等のデータ（コンテンツデータ）を、ＭＨＬ端子４０９から、ＭＨＬケーブル３００を介して、テレビ受信機２００に、一方向に送信する。
【００８１】
また、上述実施の形態においては、本技術を送信機器と受信機器とがＭＨＬのデジタルインタフェースで接続される例を示した。しかし、本技術は、送信機器と受信機器とがＨＤＭＩなどのその他のデジタルインタフェースで接続される場合にも同様に適用できる。なお、「ＨＤＭＩ」、「ＭＨＬ」は、登録商標である。
【００８２】
また、本技術は、以下のような構成を取ることもできる。
（１）外部機器との間でデジタルインタフェースのリンク設定を行い、該リンク設定の内容により、上記外部機器に、伝送路を介してコンテンツデータを送信する送信部を備え、
上記送信部は、リンクモードの設定情報に基づいて、上記デジタルインタフェースのリンク設定を行う
送信装置。
（２）複数のリンクモードから１つのリンクモードを選択して設定するリンクモード設定部をさらに備え、
上記送信部は、上記リンクモード設定部で設定されたリンクモードが、上記外部機器で設定されたリンクモードと一致するとき、該一致したリンクモードに応じた内容で上記デジタルインタフェースのリンク設定を行う
前記（１）に記載の送信装置。
（３）上記送信部は、上記リンクモード設定部で設定されたリンクモードが上記外部機器で設定されたリンクモードと一致することを、上記外部機器から受ける
前記（２）に記載の送信装置。
（４）上記リンクモード設定部でリンクモードの設定を行うためのユーザインタフェース画面の表示を制御する表示制御部をさらに備える
前記（２）または（３）に記載の送信装置。
（５）上記リンクモードの選択肢には、少なくとも、機器のパフォーマンスを優先するパフォーマンス優先モード、コンテンツの種類によって設定を変更するコンテンツ優先モード、あるいは機器の消費電力を低く抑える省エネモードのいずれかが含まれる
前記（１）から（４）のいずれかに記載の送信装置。
（６）上記デジタルインタフェースは、ＭＨＬ（Mobile High-definition Link）規格のインタフェースである
前記（１）から（５）のいずれかに記載の送信装置。
（７）外部機器との間でデジタルインタフェースのリンク設定を行い、該リンク設定の内容により、上記外部機器に、伝送路を介してコンテンツデータを送信する送信ステップを有し、
上記送信ステップでは、リンクモードの設定情報に基づいて、上記デジタルインタフェースのリンク設定を行う
送信方法。
（８）外部機器との間でデジタルインタフェースのリンク設定を行い、該リンク設定の内容により、上記外部機器から、伝送路を介してコンテンツデータを受信する受信部を備え、
上記受信部は、リンクモードの設定情報に基づいて、上記デジタルインタフェースのリンク設定を行う
受信装置。
（９）複数のリンクモードから１つのリンクモードを選択して設定するリンクモード設定部をさらに備え、
上記受信部は、上記リンクモード設定部で設定されたリンクモードが、上記外部機器で設定されたリンクモードと一致するとき、該一致したリンクモードに応じた内容で上記デジタルインタフェースのリンク設定を行う
前記（８）に記載の受信装置。
（１０）上記受信部は、上記一致したリンクモードに応じたリンク内容を上記外部機器から受け取る
前記（９）に記載の受信装置。
（１１）上記リンクモード設定部で設定されたリンクモードが上記外部機器で設定されたリンクモードと一致しないとき、警告表示を行うように制御する表示制御部をさらに備える
前記（９）または（１０）に記載の受信装置。
（１２）上記リンクモード設定部でリンクモードの設定を行うためのユーザインタフェース画面の表示を制御する表示制御部をさらに備える
前記（９）から（１１）のいずれかに記載の受信装置。
（１３）上記リンクモードの選択肢には、少なくとも、機器のパフォーマンスを優先するパフォーマンス優先モード、コンテンツの種類によって設定を変更するコンテンツ優先モード、あるいは機器の消費電力を低く抑える省エネモードのいずれかが含まれる
前記（８）から（１２）のいずれかに記載の受信装置。
（１４）上記デジタルインタフェースは、ＭＨＬ（Mobile High-definition Link）規格のインタフェースである
前記（８）から（１３）のいずれかに記載の受信装置。
（１５）外部機器との間でデジタルインタフェースのリンク設定を行い、該リンク設定の内容により、上記外部機器から、伝送路を介してコンテンツデータを受信する受信ステップを有し、
上記受信ステップでは、リンクモードの設定情報に基づいて、上記デジタルインタフェースのリンク設定を行う
受信方法。
【符号の説明】
【００８３】
１０・・・画像表示システム
１００・・・モバイルフォーン
１０１・・・ＣＰＵ
１０２・・・ユーザ操作部
１０３・・・表示制御部
１０４・・・表示部
１０５・・・３Ｇ／４Ｇモデム
１０６・・・カメラ部
１０７・・・記録再生部
１０８・・・送信処理部
１０９・・・ＭＨＬ送信部
１１０・・・ＭＨＬ端子
１１１・・・電源部
２００・・・テレビ受信機
２０１・・・ＣＰＵ
２０２・・・ユーザ操作部
２０３・・・表示制御部
２０４・・・ＭＨＬ端子
２０５・・・ＭＨＬ受信部
２０６・・・受信処理部
２０７・・・チューナ
２０８・・・アンテナ端子
２０９・・・切り替え部
２１０・・・表示部
２１１・・・電源部
３００・・・ＭＨＬケーブル
４００・・・デジタルカメラ
４０１・・・ＣＰＵ
４０２・・・ユーザ操作部
４０３・・・表示制御部
４０４・・・表示部
４０５・・・カメラ部
４０６・・・記録再生部
４０７・・・送信処理部
４０８・・・ＭＨＬ送信部
４０９・・・ＭＨＬ端子
４１０・・・電源部
【図１】
2015129496.tif 000003
【図２】
2015129496.tif 000004
【図３】
2015129496.tif 000005
【図４】
2015129496.tif 000006
【図５】
2015129496.tif 000007
【図６】
2015129496.tif 000008
【図７】
2015129496.tif 000009
【図８】
2015129496.tif 000010
【図９】
2015129496.tif 000011
【国際調査報告】
2015129496.tif 000012
2015129496.tif 000013
2015129496.tif 000014
2015129496.tif 000015